(57)【要約】【課題】個々の電子機器を誤りなく所定の収容室に収容することができるようにする。【解決手段】ＬＥＤ１５ａから２次元バーコード４８へ向けて光を照射する。ＣＣＤイメージセンサ１５ｂで２次元バーコード４８の像を取得し、デコーダ回路によりデータ化し、判断部１５ｃへアンプユニット４０の位置情報として出力する。判断部１５ｃで位置情報を照合して収容されるべきアンプユニット４０であるか否かを判断する。ラック１０に収容されるべきアンプユニット４０であると判断されたとき、判断部１５ｃからＯＫ信号を出力する。マイコン１６ａはＯＫ信号に基いて接点１６ｂを解除し、アンプユニット４０の電源供給部４９へ電力を供給するとともに、表示パネル２０のアンプユニット４０と対応する表示領域２１を緑色に点灯させる。【選択図】図４
2008270430.tif 000002
【特許請求の範囲】
【請求項１】
電子機器に設けられた他の電子機器との識別のための光学的に読取可能な情報を有する識別手段を撮像し、前記情報を取得する撮像手段と、
前記情報を記憶するとともに、その記憶された情報と前記撮像手段で取得した情報とを照合して、収容されるべき電子機器であるか否かを判断する判断手段と
を備えていることを特徴とする電子機器収容ラック。
【請求項２】
前記判断手段からの判断信号に基づいて電源から前記電子機器への電力の供給を制御する電力供給制御手段を備えていることを特徴とする請求項１記載の電子機器収容ラック。
【請求項３】
前記電力供給制御手段は、前記判断手段からの判断信号に基づいて、収容された前記電子機器が収容されるべき電子機器であるか否かを表示手段に表示させることを特徴とする請求項１又は２記載の電子機器収容ラック。
【請求項４】
前記表示手段に、前記電子機器が収容されるべき位置が表示されていることを特徴とする請求項１〜３のいずれか１項記載の電子機器収容ラック。
【請求項５】
電子機器に設けられた他の電子機器との識別のための電気的に読取可能な情報を有する識別手段へ電波を発する送信手段と、
前記送信手段から発せられた電波に応じて前記識別手段から発する電波を受信し、前記情報を取得する受信手段と、
前記情報を記憶するとともに、その記憶された情報と前記受信手段で取得した情報とを照合して、収容されるべき電子機器であるか否かを判断する判断手段と
を備えていることを特徴とする電子機器収容ラック。
【請求項６】
電子機器と、前記電子機器を収容可能な電子機器収容ラックとを備えている電子機器集合体において、
前記電子機器は、他の電子機器との識別のための光学的に読取可能な情報を有する識別手段を有し、
前記電子機器収容ラックは、前記識別手段へ向けて光を照射する照射手段と、前記識別手段を撮像し、前記情報を取得する撮像手段と、前記情報を記憶するとともに、その記憶された情報と前記撮像手段で取得した情報とを照合して、収容されるべき電子機器であるか否かを判断する判断手段とを有する
ことを特徴とする電子機器集合体。
【請求項７】
電子機器と、前記電子機器を収容可能な電子機器収容ラックとを備えている電子機器集合体において、
前記電子機器は、他の電子機器との識別のための電気的に読取可能な情報を有する識別手段を有し、
前記電子機器収容ラックは、前記識別手段へ向けて電波を発する送信手段と、前記識別手段からの電波を受信し、前記情報を取得する受信手段と、前記情報を記憶するとともに、その記憶された情報と前記受信手段で取得した情報とを照合して、収容されるべき電子機器であるか否かを判断する判断手段とを有する
ことを特徴とする電子機器集合体。
【発明の詳細な説明】
【技術分野】
【０００１】
この発明は電子機器収容ラック及び電子機器集合体に関する。
【背景技術】
【０００２】
従来、外部の電力供給源と接続される電子機側コネクタを有する電子機器と、電子機器を収容可能であって、電子機側コネクタと嵌合可能なラック側コネクタを有するラックとで構成される電子機器集合体が知られている。電子機側コネクタは電子機器の筐体の背面に形成されている。ラック側コネクタはラックの収容室の背面側内壁面に形成されている。この電子機器集合体では、筐体側コネクタ又はラック側コネクタの一方に形成され、且つコネクタ挿入方向へ延びるガイドピンと、他方に形成され、且つガイドピンと係合する受け穴とで構成されるキーイング構造を採用して、個々の電子機器をそれぞれ定められた収容室に収容できるようにした。
【特許文献１】特開２００５−３０３２４４号公報
【発明の開示】
【発明が解決しようとする課題】
【０００３】
近年、１つのラックに収容すべき電子機器の数は増加する傾向にある。上述の電子機器集合体にはキーイング構造が採用されているが、キーイングの種類（電子機器側コネクタとラック側コネクタとの組合せ）は通常数種類に過ぎないので、１つのラックに同じ種類のキーイングが複数存在することがある。その結果、収容すべきでない収容室に電子機器を収容してしまうことがあった。
【０００４】
この発明はこのような事情に鑑みてなされたもので、その課題は個々の電子機器を誤りなく所定の収容室に収容することができるようにすることである。
【課題を解決するための手段】
【０００５】
前述の課題を解決するため請求項１記載の発明は、電子機器に設けられた他の電子機器との識別のための光学的に読取可能な情報を有する識別手段を撮像し、前記情報を取得する撮像手段と、前記情報を記憶するとともに、その記憶された情報と前記撮像手段で取得した情報とを照合して、収容されるべき電子機器であるか否かを判断する判断手段とを備えていることを特徴とする。
【０００６】
請求項２記載の発明は、請求項１記載の電子機器収容ラックにおいて、前記判断手段からの判断信号に基づいて電源から前記電子機器への電力の供給を制御する電力供給制御手段を備えていることを特徴とする。
【０００７】
請求項３記載の発明は、請求項１又は２記載の電子機器収容ラックにおいて、前記電力供給制御手段は、前記判断手段からの判断信号に基づいて、収容された前記電子機器が収容されるべき電子機器であるか否かを表示手段に表示させることを特徴とする。
【０００８】
請求項４記載の発明は、請求項１〜３のいずれか１項記載の電子機器収容ラックにおいて、前記表示手段に、前記電子機器が収容されるべき位置が表示されていることを特徴とする。
【０００９】
請求項５記載の発明は、電子機器に設けられた他の電子機器との識別のための電気的に読取可能な情報を有する識別手段へ電波を発する送信手段と、前記送信手段から発せられた電波に応じて前記識別手段から発する電波を受信し、前記情報を取得する受信手段と、前記情報を記憶するとともに、その記憶された情報と前記受信手段で取得した情報とを照合して、収容されるべき電子機器であるか否かを判断する判断手段とを備えていることを特徴とする。
【００１０】
請求項６記載の発明は、電子機器と、前記電子機器を収容可能な電子機器収容ラックとを備えている電子機器集合体において、前記電子機器は、他の電子機器との識別のための光学的に読取可能な情報を有する識別手段を有し、前記電子機器収容ラックは、前記識別手段へ向けて光を照射する照射手段と、前記識別手段を撮像し、前記情報を取得する撮像手段と、前記情報を記憶するとともに、その記憶された情報と前記撮像手段で取得した情報とを照合して、収容されるべき電子機器であるか否かを判断する判断手段とを有することを特徴とする。
【００１１】
請求項７記載の発明は、電子機器と、前記電子機器を収容可能な電子機器収容ラックとを備えている電子機器集合体において、前記電子機器は、他の電子機器との識別のための電気的に読取可能な情報を有する識別手段を有し、前記電子機器収容ラックは、前記識別手段へ向けて電波を発する送信手段と、前記識別手段からの電波を受信し、前記情報を取得する受信手段と、前記情報を記憶するとともに、その記憶された情報と前記受信手段で取得した情報とを照合して、収容されるべき電子機器であるか否かを判断する判断手段とを有することを特徴とする。
【発明の効果】
【００１２】
この発明によれば、個々の電子機器を誤りなく所定の収容室に収容することができる。
【発明を実施するための最良の形態】
【００１３】
以下この発明の実施の形態を図面に基づいて説明する。
【００１４】
図１はこの発明の一実施形態に係る電子機器収容ラックの正面図である。
【００１５】
電子機器収容ラック（以下単にラックという）１０は箱型である。ラック１０は６つの収容室（図示せず）を有し、各収容室の正面にはそれぞれ扉３０が設けられている。６つの扉のうちの１つの扉には表示パネル（表示手段）２０が設けられている。
【００１６】
表示パネル２０にはアンプユニット（電子機器）４０（図２、３参照）が収容される５つの収容室に対応する５つの表示領域２１が設けられている。５つの表示領域２１には、個々のアンプユニット４０がそれぞれ収容されるべき収容室に収容されているか否かを外部から視覚的にわかるように、収容室毎に所定の文字・記号及び色が表示される。例えば５つの表示領域２１に異なる番号（「１」〜「５」）をそれぞれ付したり、５つの表示領域２１のそれぞれを緑色や赤色に点灯させたり、消灯状態にさせたりする。なお、表示パネル２０の収容室には例えば配電盤が収容される。
【００１７】
各扉３０にはそれぞれ扉３０を開閉するためのハンドル３１と外気をラック１０内へ導くための吸気口３２とが設けられている。
【００１８】
図２はアンプユニットをラックへ収容する方法を説明するための概念図である。
【００１９】
ラック１０には例えば２つの収容室１０Ａ，１０Ｂがある。
【００２０】
ラック１０の収容室１０Ａ，１０Ｂの正面はそれぞれ開放されている。ラック１０の正面には収容すべきアンプユニット４０の番号を付したラベル１１が貼り付けられている。なお、図示しないが、ラック１０のアンプユニット載置面１２には、アンプユニット４０のコネクタ嵌合方向の位置を確認するためのケガキ線等が表示されている。
【００２１】
収容室１０Ａ，１０Ｂの背面側内壁面１０ｂにはそれぞれラック側コネクタ３６が配置されている。ラック側コネクタ３６は収容室１０Ａ，１０Ｂの背面側内壁面１０ｂに設けられたラック側コネクタ金物３７を介してラック１０に固定されている。
【００２２】
ラック側コネクタ３６は、ラック１０に収容可能なアンプユニット４０の筐体４０Ａに設けられた電子機器側コネクタ４６（図３参照）と嵌合可能な位置にある。
【００２３】
ラック側コネクタ金物３７には２次元バーコードリーダ３８がラック側コネクタ３６と所定の間隔をおいて設けられている。なお、場合によっては２次元バーコードリーダ３８に代えてＯＣＲリーダ等を設けてもよい。
【００２４】
アンプユニット４０の筐体４０Ａの正面４０ｃには、アンプユニット４０をラック１０の収容室１０Ａ，１０Ｂに挿入したり、ラック１０から引き出したりするときに使用されるハンドル４０ａが取り付けられている。
【００２５】
また、アンプユニット４０の筐体４０Ａの正面４０ｃには、アンプユニット４０の番号を付したラベル４１が貼り付けられている。
【００２６】
図３はアンプユニットを背面側から見た斜視図である。
【００２７】
電子機器側コネクタ４６は筐体４０Ａの背面４０ｂに設けられたラック側コネクタ金物４７を介して筐体４０Ａに固定されている。
【００２８】
電子機器側コネクタ金物４７には他のアンプユニットとの識別のための２次元バーコード（識別手段）４８が電子機器側コネクタ４６と所定の間隔をおいて設けられている。２次元バーコード４８にはアンプユニット４０の収容位置を示す光学的に読取可能な収容位置や名称等の情報が印刷されている。
【００２９】
図４（ａ）はこの発明の一実施形態に係る電子機器集合体のブロック図、図４（ｂ）は表示パネルの一例を示す図である。なお、図４（ａ）ではコネクタ３６，４６の図示は省略されている。
【００３０】
この電子機器集合体はアンプユニット４０と送受信ユニット１５とインターロックユニット（電力供給制御手段）１６と電源ユニット（電源）１７と表示パネル２０とを備えている。
【００３１】
なお、便宜上、図４（ａ）の表示パネル２０の表示領域２１の数は図１の表示領域２１の数と一致していない。
【００３２】
電源ユニット１７は入力電源５０に接続され、電源ユニット１７には常に電力が供給されている。
【００３３】
アンプユニット４０は２次元バーコード４８と電源供給部４９とを備えている。電源供給部４９は電子機器側コネクタ４６の一部を構成する。
【００３４】
送受信ユニット１５は２次元バーコードリーダを構成するＬＥＤ（照射手段）１５ａ及びＣＣＤイメージセンサ（撮像手段）１５ｂとデコーダ回路（図示せず）と判断部（判断手段）１５ｃとを備えている。
【００３５】
ＬＥＤ１５ａは２次元バーコード４８へ向けて光を照射する。なお、ＬＥＤ１５ａに代えてレーザ等を用いてもよい。ＣＣＤイメージセンサ１５ｂは２次元バーコード４８を撮像する。ＬＥＤ１５ａとＣＣＤイメージセンサ１５ｂとデコーダ回路とで２次元バーコードリーダ３８が構成される。
【００３６】
ＣＣＤイメージセンサ１５ｂで取得された２次元バーコード４８の像に含まれる情報はデコーダ回路によりデータ化され、判断部１５ｃへ出力される。
【００３７】
判断部１５ｃには収容すべきアンプユニット４０の収容位置や名称等の情報が予め記憶されている。判断部１５ｃはこの情報とＣＣＤイメージセンサ１５ｂで取得された情報とを照合して、収容されるべきアンプユニット４０であるか否かを電気的に判断し、判断結果を判断信号（ＯＫ信号又はＮＧ信号）として出力する。
【００３８】
インターロックユニット１６は判断部１５ｃから出力された判断信号に基いてアンプユニット４０の電源供給部４９への電力の供給を制御する。
【００３９】
インターロックユニット１６は例えばワンチップマイクロコンピュータ（以下マイコンという）１６ａと接点（又はトランジスタ）１６ｂとで構成される。インターロックユニット１６にＮＧ信号が入力したとき、マイコン１６ａは接点を開かず、電源ユニット１７から電源供給部４９へ電力を供給しない。また、インターロックユニット１６にＯＫ信号が入力したとき、マイコン１６ａは接点を開き、電源ユニット１７から電源供給部４９へ電力を供給する。
【００４０】
また、インターロックユニット１６は判断信号に基いて、ラック１０（図２参照）の収容室に収容されたアンプユニット４０が収容されるべきアンプユニット４０であるか否かを表示パネル２０に表示させる。
【００４１】
例えば、インターロックユニット１６に、ラック１０に収容されるべきアンプユニット４０であることを示すＯＫ信号が入力したとき、マイコン１６ａは表示パネル２０の所定の表示領域２１に緑色を点灯させる。インターロックユニット１６に、ラック１０に収容されるべきアンプユニット４０でないことを示すＮＧ信号が入力したとき、マイコン１６ａは表示領域２１に赤色を点灯させる。なお、インターロックユニット１６に何も信号が入力しないとき、マイコン１６ａは表示領域２１を消灯状態とする。
【００４２】
次に、電子機器集合体の動作を収容室毎に説明する。
【００４３】
１．番号１を付したラベル１１が貼り付けられている収容室
この収容室には識別番号１を付したラベル４１が貼り付けられているアンプユニット４０が収容されている。
【００４４】
まず、ＬＥＤ１５ａから２次元バーコード４８へ向けて光が照射される。
【００４５】
２次元バーコード４８をＣＣＤイメージセンサ１５ｂで撮像する。２次元バーコード４８の像に含まれる情報はデコーダ回路によりデータ化され、判断部１５ｃへアンプユニット４０の収容位置等の情報として出力される。
【００４６】
判断部１５ｃでこの情報と判断部１５ｃに予め記憶された情報とを照合したとき、収容されるべきアンプユニット４０であると判断されるので、判断部１５ｃからラック１０に収容されるべきアンプユニット４０であることを示すＯＫ信号が判断信号として出力される。
【００４７】
マイコン１６ａはＯＫ信号に基いて接点１６ｂを開き、アンプユニット４０の電源供給部４９へ電力を供給するとともに、表示パネル２０の「１」と表示された表示領域２１を緑色に点灯させる。
【００４８】
２．番号２を付したラベル１１が貼り付けられている収容室
この収容室には番号４を付したラベル４１が貼り付けられているアンプユニット４０（収容されるべきアンプユニットでないもの）が収容されている。
【００４９】
まず、ＬＥＤ１５ａから２次元バーコード４８へ向けて光が照射される。
【００５０】
２次元バーコード４８をＣＣＤイメージセンサ１５ｂで撮像する。２次元バーコード４８の像に含まれる情報はデコーダ回路によりデータ化され、判断部１５ｃへアンプユニット４０の収容位置等の情報として出力される。
【００５１】
判断部１５ｃでこの情報と判断部１５ｃに予め記憶された情報とを照合したとき、収容されるべきアンプユニットでないと判断されるので、判断部１５ｃからラック１０に収容されるべきアンプユニットでないことを示すＮＧ信号が判断信号として出力される。
【００５２】
マイコン１６ａはＮＧ信号に基いて接点１６ｂを開かず、アンプユニット４０の電源供給部４９へ電力を供給しない（図４（ａ）では×印で示している）とともに、表示パネル２０の「２」と表示された表示領域２１を赤色に点灯させる。
【００５３】
３．番号３を付したラベル１１が貼り付けられている収容室
この収容室（２点差線で囲まれた部分）にはアンプユニットが収容されていない。
【００５４】
ＬＥＤ１５ａから光が照射されたとき、番号３を付したラベル１１が貼り付けられている収容室にはアンプユニットが収容されていないため、ＣＣＤイメージセンサ１５ｂでは２次元バーコードの像が取得されず、判断部１５ｃで照合は行われない。マイコン１６ａは表示パネル２０の「３」の表示領域２１を消灯したままとする。
【００５５】
この実施形態によれば、アンプユニット４０に設けられた２次元バーコード４８の像に含まれる収容位置の情報と、ラック１０の判断部１５ｃに予め記憶された、アンプユニット４０の収容位置等の情報とに基いて、収容されるべきアンプユニット４０であるか否かが電気的に判断されるので、ラック１０の収容室にアンプユニット４０を誤りなく収容することができる。また、キーイングの種類を増加させる必要がないので、金物３７，４７の種類を増加させる必要がなく、製造コストを低減することができる。
【００５６】
判断部１５ｃからの判断信号に基づいてアンプユニット４０への電力の供給を制御するので、収容すべきアンプユニット４０だけに確実に電力を供給することができる。
【００５７】
判断部１５ｃからの判断信号に基いて収容されるべきアンプユニット４０であるか否かを表示パネル２０に表示させるので、ラック１０の収容すべき収容室に収容すべきアンプユニット４０が収容されているか否かを外部から視覚的に容易に確認できる。なお、上記実施形態では表示パネル２０に総ての収容位置と収容状態とを表示させたが、例えば収容室毎に緑や赤のランプを点灯させたりして収容状態だけを表示させてもよい。
【００５８】
なお、上記実施形態では識別手段として２次元バーコード４８を用いたが、変形例として、識別手段としてＩＣタグ（アンテナ付ＩＣチップ）や赤外線送信機を用いてもよい。なお、この変形例は、第１実施形態と送受信ユニット１５及び識別手段の構成が異なるだけであるので、電子機器集合体のブロック図の図示は省略した。
【００５９】
例えばアンプユニット４０に設けられたＩＣタグ（識別手段）とラック１０に設けられた送受信ユニット１５との間で近距離通信を行ってＩＣタグに書き込まれた収容位置等の電子化された情報の読み取りを行うようにしてもよい。アンプユニット４０がラック１０に収容されたとき（又はラック側コネクタ３６に電子機器側コネクタ４６が嵌合したとき）、送受信ユニット１５の送信部からＩＣタグへ向けて電波が発射される。ＩＣタグが送信部からの電波を受信すると、ＩＣタグに書き込まれた収容位置等の情報は電波に乗せて返され、送受信ユニット１５の受信部で受信され、判断部１５ｃへアンプユニット４０の情報として出力される。これ以後の動作は２次元バーコード４８を用いたときと同じである。
【００６０】
この変形例によれば、上記実施形態と同様の効果が生じる。また、アンプユニット４０の２次元バーコード４８をラック１０のバーコードリーダに、人間が正確に対向するように挿入しなければならないが、ＩＣタグを読み取ることができる範囲は広く、また読み取る方向も自由度が大きいので、ＩＣタグを送受信ユニット１５に正確に対向するように挿入しなくともよく、作業の省力化を図ることができる。
【図面の簡単な説明】
【００６１】
【図１】図１はこの発明の一実施形態に係る電子機器収容ラックの正面図である。
【図２】図２はアンプユニットをラックへ収容する方法を説明するための概念図である。
【図３】図３はアンプユニットを背面側から見た斜視図である。
【図４】図４（ａ）はこの発明の一実施形態に係る電子機器集合体のブロック図、図４（ｂ）は表示パネルの一例を示す図である。
【符号の説明】
【００６２】
１５ａ：ＬＥＤ（照射手段）、１５ｂ：ＣＣＤイメージセンサ（撮像手段）、１５ｃ：判断部（判断手段）、１６：インターロックユニット（電力供給制御手段）、１７：電源ユニット（電源）、２０：表示パネル（表示手段）、４０：アンプユニット（電子機器）、４８：２次元バーコード（識別手段）。
【図１】
2008270430.tif 000003
【図２】
2008270430.tif 000004
【図３】
2008270430.tif 000005
【図４】
2008270430.tif 000006